(57)【要約】  本開示の課題は、空調システムが対象とする対象空間の温度を簡易な制御で調整し易くすることにある。制御システム（１０）は、制御部（１１）と、取得部（１２）と、を備える。制御部（１１）は、施設に設けられる空調システム（２）を制御する。取得部（１２）は、空調システム（２）が対象とする対象空間の温度を取得する。制御部（１１）は、取得部（１２）が取得した温度に応じて、空調システム（２）が動作する運転状態と、空調システム（２）が停止する停止状態と、を切り替えるように空調システム（２）を制御する。
2019008723.tif 000002
【特許請求の範囲】
【請求項１】
施設に設けられる空調システムを制御する制御部と、
前記空調システムが対象とする対象空間の温度を取得する取得部と、を備え、
前記制御部は、前記取得部が取得した温度に応じて、前記空調システムが動作する運転状態と、前記空調システムが停止する停止状態と、を切り替えるように前記空調システムを制御する
制御システム。
【請求項２】
前記空調システムは、外部から流れる熱媒体と、前記対象空間へと送られる空気との間で熱エネルギーの交換を行う熱交換器を備える
請求項１記載の制御システム。
【請求項３】
前記制御部の制御対象は、前記空調システムが備える送風機であり、
前記送風機は、前記熱交換器を通った空気を前記対象空間へ送る
請求項２記載の制御システム。
【請求項４】
前記空調システムは、前記制御部とは異なるメインシステムにより制御される１以上の空調システムの一つであり、前記制御部からの指令と、前記メインシステムからの指令との各々に基づいて制御される
請求項１乃至３のいずれか１項に記載の制御システム。
【請求項５】
前記制御部は、外部の電源から前記空調システムへの給電路に設けられたリレーをオン／オフすることで、前記運転状態と前記停止状態とを切り替えるように前記空調システムを制御する
請求項１乃至４のいずれか１項に記載の制御システム。
【請求項６】
前記空調システムは冷房システムであって、
前記制御部は、前記取得部で取得した温度が第１閾値を上回ると、前記運転状態に切り替え、前記取得部で取得した温度が前記第１閾値よりも小さい第２閾値を下回ると、前記停止状態に切り替える
請求項１乃至５のいずれか１項に記載の制御システム。
【請求項７】
前記空調システムは暖房システムであって、
前記制御部は、前記取得部で取得した温度が第１閾値を上回ると、前記停止状態に切り替え、前記取得部で取得した温度が前記第１閾値よりも小さい第２閾値を下回ると、前記運転状態に切り替える
請求項１乃至５のいずれか１項に記載の制御システム。
【請求項８】
前記制御部は、前記取得部で取得した温度が前記第１閾値と前記第２閾値との間にあるときは、前記空調システムを間欠的に運転させる制御を行う
請求項６又は７に記載の制御システム。
【請求項９】
前記第１閾値及び前記第２閾値は、それぞれ時間帯ごとに設定されている
請求項６乃至８のいずれか１項に記載の制御システム。
【請求項１０】
前記制御部は、前記取得部が取得した温度について、前記空調システムの所定の運転期間中に生じた変動幅が所定の範囲内に収まっているとき、前記停止状態に切り替える
請求項６乃至９のいずれか１項に記載の制御システム。
【請求項１１】
前記所定の範囲は、前記第１閾値と前記第２閾値との差よりも小さい
請求項１０記載の制御システム。
【請求項１２】
前記制御部は、前記空調システムが前記停止状態にある期間が規定期間よりも長くなると、前記空調システムを運転状態に切り替える
請求項１乃至１１のいずれか１項に記載の制御システム。
【請求項１３】
施設に設けられる空調システムが対象とする対象空間の温度を取得する取得ステップと、
前記取得ステップで取得した温度に応じて、前記空調システムが動作する運転状態と、前記空調システムが停止する停止状態と、を切り替えるように前記空調システムを制御する切替ステップと、を有する
制御方法。
【発明の詳細な説明】
【技術分野】
【０００１】
本開示は、一般に制御システム及び制御方法に関し、より詳細には、空調システムを制御する制御システム及び制御方法に関する。
【背景技術】
【０００２】
従来、ガス・石油・電気等を熱源とした暖房を行う空気調和装置が知られており、例えば特許文献１に開示されている。特許文献１に記載の空気調和装置は、室温を検出する温度検出器と、燃焼量を決定する燃焼量演算手段と、燃焼量出力手段と、を備えている。この空気調和装置では、温度検出器からの信号と設定温度との演算によって、強燃焼になったり、弱燃焼になったり、燃焼を停止したりする。【０００３】
しかしながら、特許文献１に記載の空気調和装置（空調システム）では、空気調和装置が対象とする対象空間の温度を調整するためには、複雑な制御を要するという問題があった。
【先行技術文献】
【特許文献】
【０００４】
【特許文献１】特開昭６２−１０８９４４号公報
【発明の概要】
【０００５】
本開示は、上記の点に鑑みてなされており、空調システムが対象とする対象空間の温度を簡易な制御で調整し易い制御システム及び制御方法を提供することを目的とする。
【０００６】
本開示の一態様に係る制御システムは、制御部と、取得部と、を備える。前記制御部は、施設に設けられる空調システムを制御する。前記取得部は、前記空調システムが対象とする対象空間の温度を取得する。前記制御部は、前記取得部が取得した温度に応じて、前記空調システムが動作する運転状態と、前記空調システムが停止する停止状態と、を切り替えるように前記空調システムを制御する。
【０００７】
本開示の一態様に係る制御方法は、取得ステップと、切替ステップと、を有する。前記取得ステップは、施設に設けられる空調システムが対象とする対象空間の温度を取得するステップである。前記切替ステップは、前記取得ステップで取得した温度に応じて、前記空調システムが動作する運転状態と、前記空調システムが停止する停止状態と、を切り替えるように前記空調システムを制御するステップである。
【図面の簡単な説明】
【０００８】
【図１】図１は、本開示の一実施形態に係る制御システムの構成を示すブロック図である。
【図２】図２は、同上の制御システムにより制御される空調システムの概略図である。
【図３】図３Ａは、同上の制御システムに用いられる端末に表示される第１設定画面を示す図である。図３Ｂは、同上の制御システムに用いられる端末に表示される第２設定画面を示す図である。
【図４】図４は、同上の制御システムによる制御の説明図である。
【図５】図５は、本開示の一実施形態の第１変形例に係る制御システムによる制御の説明図である。
【図６】図６は、本開示の一実施形態の第２変形例に係る制御システムによる制御の説明図である。
【図７】図７は、本開示の一実施形態の第３変形例に係る制御システムによる制御の説明図である。
【図８】図８は、本開示の一実施形態の第５変形例に係る制御システムによる制御の説明図である。
【発明を実施するための形態】
【０００９】
（１）概要
以下、実施形態に係る制御システム１０の概要について図１及び図２を用いて説明する。図２に示す空調システム２、給気ダクト７、及び還気ダクト８内の矢印は、空気の流れを示している。本実施形態の制御システム１０は、施設に設けられる空調システム２を制御するためのシステムである。施設は、例えばオフィスビル、ホテル、学校、病院、商業施設、工場、劇場など、１乃至複数の閉空間を有する建物である。空調システム２は、１乃至複数の閉空間のうち対象とする対象空間Ａ１の温度を主として調整する。本実施形態では、空調システム２は、例えばＡＨＵ（Air Handling Unit：エアハンドリングユニット）である。対象空間Ａ１は、例えば施設が複数階建てのオフィスビルの場合、複数の階のうちの１つである。対象空間Ａ１は、例えば大部屋などの１つの空間であってもよいし、複数の部屋からなる複数の空間であってもよい。また、対象空間Ａ１は、施設の所有者により管理されていてもよいし、施設の所有者から借り受けている事業者（テナント）により管理されていてもよい。
【００１０】
制御システム１０は、制御部１１と、取得部１２と、を備えている。制御部１１は、空調システム２を制御する。本実施形態では、制御部１１は、電源Ｂ１から空調システム２への給電路を開閉することで、空調システム２を運転状態と停止状態とのいずれかに切り替える制御を行う。運転状態は、空調システム２が動作している状態である。停止状態は、空調システム２が停止している状態である。取得部１２は、空調システム２が対象とする対象空間Ａ１の温度を取得する。本実施形態では、取得部１２は、対象空間Ａ１に設けられたセンサ４から、対象空間Ａ１の温度を取得する。
【００１１】
そして、制御部１１は、取得部１２が取得した温度（以下、「取得温度」という）に応じて、運転状態と停止状態とを切り替えるように空調システム２を制御する。例えば、空調システム２が冷房である場合、制御部１１は、取得部１２が取得した温度が所定の温度を上回ると運転状態に切り替え、所定の温度を下回ると停止状態に切り替えるように空調システム２を制御する。このようにして、制御システム１０は、対象空間Ａ１の温度を調整する。
【００１２】
上述のように、本実施形態では、運転状態と停止状態とを切り替えるという制御により、対象空間Ａ１の温度を調整している。つまり、本実施形態では、空調システム２が対象空間Ａ１へ送る空気の温度を調整するといった制御と比較して、簡易な制御により空調システム２を制御している。したがって、本実施形態では、空調システム２が対象とする対象空間Ａ１の温度を簡易な制御で調整し易い、という利点がある。
【００１３】
（２）詳細
以下、本実施形態に係る制御システム１０について図１及び図２を用いて詳細に説明する。本実施形態の制御システム１０は、図１に示すように、１以上（図１では、３つ）の空調システム２を個別に制御する。本実施形態では、１以上の空調システム２は、制御システム１０の他に、メインシステム６（後述する）によっても個別に制御される。また、本実施形態の制御システム１０は、上述の制御部１１及び取得部１２に加えて、通信部１３を更に備えている。以下では、特に断りの無い限り、任意の１つの空調システム２に焦点を当てて説明する。
【００１４】
制御部１１は、空調システム２を制御する。本実施形態では、制御部１１は、外部の電源Ｂ１から空調システム２への給電路に設けられたリレー３をオン／オフすることにより、空調システム２を間接的に制御する。本実施形態では、制御部１１は、プロセッサ及びメモリを主構成とするマイクロコンピュータで構成されている。つまり、制御部１１は、プロセッサ及びメモリを有するコンピュータシステムで実現されており、プロセッサが適宜のプログラムを実行することにより、コンピュータシステムが制御部１１として機能する。プログラムは、メモリに予め記録されていてもよいし、インターネット等の電気通信回線を通じて、又はメモリカード等の記録媒体に記録されて提供されてもよい。
【００１５】
制御部１１は、比較処理を実行する機能と、切替処理を実行する機能と、を有している。比較処理では、制御部１１は、取得温度と、予めメモリに記憶している第１閾値Ｃ１及び第２閾値Ｃ２とを比較する。第１閾値Ｃ１及び第２閾値Ｃ２は、いずれも後述するように端末５で設定される温度である。第１閾値Ｃ１は、目標温度Ｃ３を中心とした温度範囲の上限値である。第２閾値Ｃ２は、目標温度Ｃ３を中心とした温度範囲の下限値である。つまり、第２閾値Ｃ２は、第１閾値Ｃ１よりも小さい。目標温度Ｃ３は、第１閾値Ｃ１及び第２閾値Ｃ２と同様に、端末５で設定される温度であり、端末５を操作するユーザ（例えば、対象空間Ａ１の管理者など）が所望する対象空間Ａ１の温度である。
【００１６】
制御部１１は、比較処理の結果に応じて、切替処理を実行する。つまり、制御部１１は、切替処理において、取得部１２が取得した温度に応じて、空調システム２が動作する運転状態と、空調システム２が停止する停止状態と、を切り替えるように空調システム２を制御する。制御部１１による空調システム２の制御については、後述する「（３）制御」にて詳細に説明する。
【００１７】
その他、制御部１１は、後述する端末５で設定されたスケジュールに基づく自動制御などの制御を実行するために、現在の時刻を取得する時刻機能と、時間を計測する計時機能と、を有している。本実施形態では、制御部１１は、内蔵の時計により時刻機能を、内蔵のタイマにより計時機能を実現している。
【００１８】
取得部１２は、空調システム２が対象とする対象空間Ａ１の温度を取得する。本実施形態では、１以上の対象空間Ａ１の各々には、１以上（図１では、３つ）のセンサ４が設けられている。センサ４は、例えば対象空間Ａ１の壁などに設置されており、対象空間Ａ１の温度を計測する。本実施形態では、センサ４は、ＲＳ−４８５規格のケーブルにより取得部１２に電気的に接続されている。したがって、センサ４は、このケーブルを介した有線通信により、計測した対象空間Ａ１の温度の計測値を、制御システム１０の取得部１２へ送信する。これにより、取得部１２は、センサ４から対象空間Ａ１の温度を取得する。
【００１９】
通信部１３は、端末５と双方向に通信するための通信モジュールである。本実施形態では、通信部１３と端末５との通信方式としては、例えばＷｉ−Ｆｉ（登録商標）、Ｂｌｕｅｔｏｏｔｈ（登録商標）などの複数の無線通信方式のうちのいずれかが適用される。その他、通信部１３は、例えばインターネット等のネットワークを介して、端末５と双方向に通信する構成であってもよい。
【００２０】
空調システム２は、１以上の空調システム２に用いる熱源機を施設内の１箇所に纏めて設置する中央式（セントラル空調式）の空調設備に用いられるシステムである。本実施形態では、熱源機は、配管２４を通して冷水を供給する冷凍機である。また、本実施形態では、空調システム２は、既に述べたようにＡＨＵであり、例えば施設内の機械室に設置されている。つまり、空調システム２は、対象空間Ａ１に設置されているのではなく、対象空間Ａ１から離れた場所に設置されている。また、本実施形態では、運転状態において空調システム２から対象空間Ａ１に送られる空気の温度は、外気温度よりも低い。つまり、本実施形態では、空調システム２は、対象空間Ａ１の温度を外気温度よりも低くする冷房システムである。
【００２１】
空調システム２は、図２に示すように、２つの吸込口２０，２５と、フィルタ２１と、熱交換器２２と、送風機２３と、を備えている。吸込口２０は、外気ダクトに接続されている。吸込口２０は、外気ダクトを介して、施設の外部から外気を取り入れる。吸込口２５は、還気ダクト８に接続されている。吸込口２５は、還気ダクト８を介して、対象空間Ａ１の排気口８１から排気される空気の一部を取り入れる。
【００２２】
フィルタ２１は、例えば乾式のエアフィルタである。フィルタ２１は、吸込口２０，２５の各々から導入される空気を通すことで、空気に含まれる塵埃などの異物を除去する。フィルタ２１を通った空気は、熱交換器２２へ送られる。フィルタ２１は、粒径が比較的大きい粒子を捕集可能なエアフィルタと、粒径が比較的小さい粒子を捕集可能なエアフィルタと、を組み合わせて構成されていてもよい。
【００２３】
熱交換器２２は、外部（熱源機）から流れる熱媒体（ここでは、冷水）と、対象空間Ａ１へと送られる空気との間で熱エネルギーの交換を行う機器である。本実施形態では、熱交換器２２は、冷却用のコイルで構成されている。コイルは、例えば主管と、伝熱フィンと、を有している。主管は、熱源機（ここでは、冷凍機）から配管２４を通して供給される熱媒体（ここでは、冷水）が通るように構成されている。伝熱フィンは、フィルタ２１を通った空気が通るように構成されている。熱交換器２２を通った空気は、送風機２３へ送られる。
【００２４】
送風機２３は、熱交換器２２を通った空気を対象空間Ａ１へ送る機器である。本実施形態では、送風機２３は、例えばシロッコファン（sirocco fan）等の遠心送風機であり、例えば誘導電動機などのモータにより駆動する。送風機２３の吹出口は、給気ダクト７に接続されている。給気ダクト７は、例えば対象空間Ａ１の天井に設けられた１以上（図２では、３つ）の吹出口７１に接続されている。送風機２３は、給気ダクト７及び１以上の吹出口７１を介して、熱交換器２２を通った空気を対象空間Ａ１へ送る。そして、送風機２３の運転中においては、１以上の吹出口７１から対象空間Ａ１へ送られる空気と、対象空間Ａ１の排気口８１から排気される空気とが交換される。つまり、送風機２３の運転中においては、対象空間Ａ１の換気が行われる。
【００２５】
本実施形態では、送風機２３が動作しているときに対象空間Ａ１へ空気が送られることで、対象空間Ａ１の温度が調整される。このため、送風機２３が動作している状態は、空調システム２の運転状態に相当する。また、本実施形態では、送風機２３が停止しているときには、対象空間Ａ１へ空気が送られないので、対象空間Ａ１の温度が調整されない。このため、送風機２３が停止している状態は、空調システム２の停止状態に相当する。そして、本実施形態では、制御部１１は、リレー３をオン／オフすることにより、電源Ｂ１から空調システム２への給電路を開閉している。送風機２３は、電源Ｂ１から電力を供給されているときに運転状態となり、電源Ｂ１からの電力供給が途絶えると停止状態となる。つまり、本実施形態では、制御部１１の制御対象は、送風機２３であると言える。
【００２６】
端末５は、例えばタブレット端末などの情報端末である。端末５は、例えばプロセッサ及びメモリを有するコンピュータシステム（マイクロコンピュータを含む）を主構成とする。端末５は、専用のアプリケーションソフトをインストールし、このアプリケーションソフトを起動することにより、少なくとも空調システム２の制御パラメータを設定する設定作業を行うための機器として機能する。本実施形態では、空調システム２の制御パラメータは、後述するように第１閾値Ｃ１、第２閾値Ｃ２、目標温度Ｃ３などである。端末５は、上述の無線通信の方式を用いて、制御システム１０の通信部１３と通信可能に構成されている。
【００２７】
端末５は、ディスプレイを備えている。本実施形態では、端末５のディスプレイは、例えばタッチパネルディスプレイのように、設定画面を表示する表示デバイスと、ユーザによる操作を受け付ける入力デバイスと、を兼ねている。端末５のディスプレイには、例えば図３Ａ及び図３Ｂに示すように、第１設定画面５１と、第２設定画面５２と、が表示可能である。第１設定画面５１は、主として複数の空調システム２の手動制御に関する設定を行うための画面である。第１設定画面５１は、図３Ａに示すように、主として第１領域５１１と、第２領域５１２と、第３領域５１３と、を含んでいる。
【００２８】
第１領域５１１は、第１設定画面５１の左上隅に表示されている。第１領域５１１において、「NO INTERMITTENCE」の文字列の隣にあるボタンは、空調システム２の間欠制御（後述する第２変形例を参照）の入／切を切り替える際に、ユーザが操作するオブジェクトである。第１領域５１１において、「TEMPERATURE」の文字列の隣にあるボタンは、空調システム２による温度制御の入／切を切り替える際に、ユーザが操作するオブジェクトである。なお、ここでいう「空調システム２の温度制御の入／切」は、「空調システム２の運転中において温度制御を実行するか否か」であり、「空調システム２の電源の入／切」ではない。
【００２９】
第２領域５１２は、第１設定画面５１において第１領域５１１の下側に表示されている。第２領域５１２において、「ZONE 1」、「ZONE 2」、「ZONE 3」、及び「ZONE 4」の文字列は、それぞれ施設内にある複数の対象空間Ａ１に１対１に対応している。また、これらの文字列の下側にある４つのボタンの各々は、空調システム２の運転状態／停止状態を切り替える際に、ユーザが操作するオブジェクトである。４つのボタンの各々において、「ON」の文字列は、空調システム２が運転状態にあることを示す。また、４つのボタンの各々において、「OFF」の文字列は、空調システム２が停止状態にあることを示す。
【００３０】
第３領域５１３は、第１設定画面５１において第２領域５１２の下側に表示されている。第３領域５１３において、「ZONE 1」、「ZONE 2」、「ZONE 3」、及び「ZONE 4」の文字列の下側にある４つの表示枠の各々には、対応する対象空間Ａ１にてセンサ４の取得した取得温度Ｃ３が表示されている。なお、図３Ａに示す例において、「ZONE 3」及び「ZONE 4」の文字列の下側にある２つの表示枠の各々には、「00.0 ℃」の文字列が表示されている。ここでは、「ZONE 3」及び「ZONE 4」の各々に対応する対象空間Ａ１には、センサ４が設置されていないからである。
【００３１】
第２設定画面５２は、主として複数の空調システム２の自動制御に関する設定を行うための画面である。第２設定画面５２は、図３Ｂに示すように、主として第１領域５２１と、第２領域５２２と、第３領域５２３と、を含んでいる。
【００３２】
第１領域５２１は、第２設定画面５２の上端に表示されている。第１領域５２１において、「ACTION DAY」の文字列の隣にある７つのボタンの各々は、対応する曜日での空調システム２の自動制御の入／切を切り替える際に、ユーザが操作するオブジェクトである。図３Ｂに示す例では、第１領域５２１における「Tue」、「Wed」、及び「Thu」の文字列が表示されたボタンが選択された状態にある。したがって、空調システム２は、１週間のうちの火曜日、水曜日、及び木曜日において、自動的に制御される。
【００３３】
第２領域５２２は、第２設定画面５２において、「SCHEDULE」の文字列を挟んだ第１領域５２１の下側に表示されている。第２領域５２２において、「FAN 1」、「FAN 2」、「FAN 3」、及び「FAN 4」の文字列は、それぞれ複数の空調システム２（ここでは、送風機２３）に１対１に対応している。また、これらの文字列の隣にあるボタン群は、対応する空調システム２を自動制御する時間帯を設定する際に、ユーザが操作するオブジェクトである。図３Ｂに示す例では、第２領域５２２における「FAN 1」の文字列の隣にある４つのボタンには、それぞれ「08」、「30」、「18」、及び「00」の文字列が表示されている。したがって、「FAN 1」の文字列に対応する空調システム２は、８時３０分から１８時００分の間、自動的に制御される。
【００３４】
第３領域５２３は、第２設定画面５２において、第２領域５２２の隣に表示されている。第３領域５２３において、「Target」の文字列の下側にある４つのボタンの各々は、対応する空調システム２の目標温度Ｃ３を設定する際に、ユーザが操作するオブジェクトである。また、第３領域５２３において、「Upper」の文字列の下側にある４つのボタンの各々は、対応する空調システム２の目標温度Ｃ３の上限値（第１閾値Ｃ１）と目標温度Ｃ３との差分を設定する際に、ユーザが操作するオブジェクトである。また、第３領域５２３において、「Lower」の文字列の下側にある４つのボタンの各々は、対応する空調システム２の目標温度Ｃ３の下限値（第２閾値Ｃ２）と目標温度Ｃ３との差分を設定する際に、ユーザが操作するオブジェクトである。図３Ｂに示す例では、第３領域５２３における「FAN 1」の文字列と同じ行にある３つのボタンには、それぞれ「0.5 ℃」、「24.0 ℃」、及び「0.5 ℃」の文字列が表示されている。したがって、「FAN 1」の文字列に対応する空調システム２では、目標温度Ｃ３が２４．０℃、第１閾値Ｃ１が２４．５（＝２４．０＋０．５）℃、第２閾値Ｃ２が２３．５（＝２４．０−０．５）℃に設定されている。
【００３５】
端末５は、空調システム２の制御パラメータが設定されると、設定された制御パラメータを含む設定信号を制御システム１０の通信部１３に向けて送信する。そして、制御部１１は、通信部１３が設定信号を受信すると、メモリに記憶している制御パラメータを、受信した設定信号に含まれる制御パラメータに更新する。なお、端末５は、ユーザによる特定の操作を受け付けた時点で設定情報を通信部１３に向けて送信してもよいし、ユーザによる操作を受け付ける度に設定情報を制御システム１０に向けて送信してもよい。また、空調システム２の手動制御と自動制御とのいずれを優先するかは、ユーザが適宜設定してよい。
【００３６】
メインシステム６は、例えば施設内の監視室に設置されている。メインシステム６は、制御システム１０とは異なるシステムであり、制御システム１０とは別で１以上の空調システム２を個別に制御する。言い換えれば、空調システム２は、制御部１１とは異なるメインシステム６により制御される１以上の空調システム２の一つである。そして、空調システム２は、制御部１１からの指令と、メインシステム６からの指令との各々に基づいて制御される。
【００３７】
具体的には、メインシステム６は、熱源機が発生する熱量を調整したり、熱源機から配管２４を通して循環する熱媒体（ここでは、冷水）の量を調整したりすることで、空調システム２から対象空間Ａ１へ送る空気の温度を調整する。また、メインシステム６は、空調システム２の送風機２３の電動機を制御し、送風機２３の風量を調整することで、空調システム２から対象空間Ａ１へ供給する空気の量を調整する。つまり、メインシステム６は、空調システム２から対象空間Ａ１へ送る空気に関するパラメータを調整することにより、対象空間Ａ１の温度を調整する。このパラメータは、例えば施設の管理者など、特定の権限を有するユーザの操作により変更可能である。
【００３８】
（３）制御
以下、本実施形態の制御システム１０による制御の一例について図４を用いて説明する。図４において、「温度」は、取得温度を示している。以下、図４〜図８においても同様である。また、図４において、「ＯＮ」は、空調システム２が運転状態にあることを示しており、「ＯＦＦ」は、空調システム２が停止状態にあることを示している。以下、図５及び図８においても同様である。また、以下では、任意の１つの空調システム２に対する制御について説明する。更に、以下では、取得部１２が対象空間Ａ１の温度を初めて取得した時点において、空調システム２が停止状態にあると仮定する。
【００３９】
まず、取得部１２は、センサ４から対象空間Ａ１の温度を定期的に取得している。取得部１２がセンサ４から対象空間Ａ１の温度を取得する間隔は、例えば数秒である。制御部１１は、取得温度と、予め記憶してある第１閾値Ｃ１及び第２閾値Ｃ２とを比較する比較処理を実行する。比較処理は、取得部１２にて対象空間Ａ１の温度を取得するたびに実行される。比較処理において、取得温度が第１閾値Ｃ１を上回っていると、制御部１１は、リレー３をオンにするための指令（以下、「オン指令」という）をリレー３に向けて送信する切替処理を実行する。これにより、リレー３がオン状態となり、電源Ｂ１から空調システム２へ電力が供給される。そして、電力の供給を受けて、空調システム２の送風機２３が駆動することにより、空調システム２が停止状態から運転状態に切り替わる。空調システム２が運転状態となることで、対象空間Ａ１は送風機２３から送られる冷気により冷やされ、対象空間Ａ１の温度は徐々に低下する。
【００４０】
比較処理において、取得温度が第１閾値Ｃ１と第２閾値Ｃ２との間に収まっている間は、制御部１１は、特に空調システム２に対する切替処理を実行しない。つまり、この間、空調システム２は現在の状態を維持する。その後、比較処理において、取得温度が第２閾値Ｃ２を下回ると、制御部１１は、リレー３をオフにするための指令（以下、「オフ指令」という）をリレー３に向けて送信する切替処理を実行する。これにより、リレー３がオフ状態となり、電源Ｂ１から空調システム２への電力供給が途絶える。そして、電力供給が途絶えることで、空調システム２の送風機２３が停止することにより、空調システム２が運転状態から停止状態に切り替わる。空調システム２が停止状態となることで、対象空間Ａ１には送風機２３から冷気が送られなくなり、対象空間Ａ１の温度は徐々に上昇する。
【００４１】
その後、比較処理において、取得温度が第１閾値Ｃ１を上回ると、制御部１１は、オン指令をリレー３に向けて送信する切替処理を実行する。これにより、空調システム２は再び停止状態から運転状態に切り替わる。そして、空調システム２が運転状態となることで、対象空間Ａ１の温度は徐々に低下する。以下、上記の比較処理及び切替処理を制御部１１が繰り返すことにより、対象空間Ａ１の温度は、概ね目標温度Ｃ３を中心とした第１閾値Ｃ１と第２閾値Ｃ２との間に収まるように推移する。
【００４２】
上述のように、本実施形態では、制御部１１は、取得温度が第１閾値Ｃ１を上回る（「第１閾値Ｃ１以上になる」ことを含む）と、停止状態から運転状態に切り替わるように空調システム２を制御する。また、制御部１１は、取得温度が第１閾値Ｃ１よりも小さい第２閾値Ｃ２を下回る（「第２閾値Ｃ２以下になる」ことを含む）と、運転状態から停止状態に切り替わるように空調システム２を制御する。
【００４３】
（４）変形例
上記実施形態は、本開示の様々な実施形態の一つに過ぎない。上記実施形態は、本開示の目的を達成できれば、設計等に応じて種々の変更が可能である。また、制御システム１０と同様の機能は、制御方法で具現化されてもよい。
【００４４】
一態様に係る制御方法は、取得ステップと、切替ステップと、を有する。取得ステップは、施設に設けられる空調システム２が対象とする対象空間Ａ１の温度を取得するステップである。切替ステップは、取得ステップで取得した温度に応じて、空調システム２が動作する運転状態と、空調システム２が停止する停止状態と、を切り替えるように空調システム２を制御するステップである。
【００４５】
以下、実施形態の変形例を列挙する。以下に説明する変形例は、適宜組み合わせて適用可能である。
【００４６】
（４．１）第１変形例
第１変形例の制御システム１０は、図５に示すように、制御部１１が間欠制御を行う点で実施形態と異なっている。本変形例では、制御部１１は、取得温度が第１閾値Ｃ１と第２閾値Ｃ２との間にあるときは、運転状態と停止状態とを交互に切り替える制御、つまり空調システム２を間欠的に運転させる制御を行う。図５に示す例では、制御部１１は、空調システム２が運転状態にある期間Ｄ１と、空調システム２が停止状態にある期間Ｄ２とを交互に繰り返すように、空調システム２を制御している。期間Ｄ１，Ｄ２は、いずれも例えば数十分である。また、図５に示す例では、制御部１１は、取得温度が第１温度Ｃ１を上回ることをトリガとした切替処理の実行後に、間欠制御を実行している。つまり、制御部１１は、取得温度が第２温度Ｃ２を下回ることをトリガとした切替処理の実行後においては、間欠制御を実行しなくてもよい。
【００４７】
本変形例において、期間Ｄ１，Ｄ２の各々の長さは、例えば取得温度に応じて可変であってもよい。また、期間Ｄ１，Ｄ２の各々の長さは、例えば時間帯に応じて可変であってもよい。また、本変形例では、制御部１１は、取得温度が第１閾値Ｃ１と第２閾値Ｃ２との間にあるときに間欠制御を実行しているが、これに限定する趣旨ではない。例えば、制御部１１は、取得温度に依らず、定期的に間欠制御を実行してもよい。
【００４８】
（４．２）第２変形例
第２変形例の制御システム１０では、図６に示すように、第１閾値Ｃ１と、第２閾値Ｃ２と、目標温度Ｃ３と、を時間帯ごとに設定している点で実施形態と異なっている。つまり、本変形例では、第１閾値Ｃ１及び第２閾値Ｃ２は、それぞれ時間帯ごとに設定されている。時間帯ごとの第１閾値Ｃ１、第２閾値Ｃ２、及び目標温度Ｃ３は、対象空間Ａ１を利用するユーザの体感温度が時間帯ごとに異なってくる点を考慮して、適宜設定されるのが好ましい。図６に示す例では、８時〜９時３０分、９時３０分〜１３時、１３時〜１４時、及び１４時〜１８時の４つの時間帯の各々で、第１閾値Ｃ１、第２閾値Ｃ２、及び目標温度Ｃ３が設定されている。
【００４９】
本変形例において、第１閾値Ｃ１、第２閾値Ｃ２、及び目標温度Ｃ３は、それぞれ複数の時間帯ごとに設定されていればよい。つまり、複数の時間帯は、４つに限らず、２つ又は３つであってもよいし、５つ以上であってもよい。また、複数の時間帯のうちの２以上の時間帯において、第１閾値Ｃ１、第２閾値Ｃ２、及び目標温度Ｃ３の設定が同じであってもよい。
【００５０】
（４．３）第３変形例
第３変形例の制御システム１０は、図７に示すように、取得温度が所定の条件を満たすと、制御部１１が停止状態に切り替えるように空調システム２を制御する点で、実施形態と異なっている。所定の条件は、取得温度について、空調システム２の所定の運転期間Ｅ１中に生じた変動幅が所定の範囲Ｆ１内に収まることである。所定の運転期間Ｅ１は、例えば数十分である。所定の範囲Ｆ１は、例えば空調システム２が不要な時期（例えば、日本国などの四季のある国であれば、春期、秋期等の中間期）での外気温度の変動幅に合わせて適宜設定される。
【００５１】
ここで、メインシステム６は、空調システム２が不要な時期であれば、熱交換器２２に対して熱媒体を供給しない場合がある。この場合、熱交換器２２を通る空気は、熱交換器２２によって冷やされることがない。したがって、この場合、空調システム２は、運転状態にあっても、外気温度と略等しい温度の空気を対象空間Ａ１へ送ることになる。つまり、この場合、空調システム２は、無駄に電力を消費することになる。そこで、本変形例では、制御部１１は、取得温度が所定の条件を満たすか否かにより、空調システム２が不要であるか否かを判断している。そして、制御部１１は、空調システム２が不要であると判断すると、停止状態に切り替わるように空調システム２を制御する。
【００５２】
本変形例において、所定の範囲Ｆ１は、第１閾値Ｃ１と第２閾値Ｃ２との差よりも小さいことが好ましい。例えば空調システム２が必要な時期（例えば、日本国などの四季のある国であれば、夏期）において、取得温度が所定の条件を満たしてしまうことで空調システム２が意図せずに停止状態に切り替わるのを防ぎ易いからである。
【００５３】
（４．４）第４変形例
第４変形例の制御システム１０は、空調システム２が比較的長い期間、停止状態にある場合に、制御部１１が比較処理の結果に依らず運転状態に切り替わるように空調システム２を制御する点で、実施形態とは異なっている。つまり、本変形例では、制御部１１は、空調システム２が停止状態にある期間が規定期間よりも長くなると、空調システム２を運転状態に切り替える。規定期間は、例えば数十分である。また、制御部１１が停止状態から運転状態に切り替えた後に、運転状態を維持する期間は、例えば数分である。
【００５４】
本変形例では、対象空間Ａ１の温度を調整する目的ではなく、対象空間Ａ１の換気を行う目的で、空調システム２を一時的に運転状態としている。本変形例において、規定期間は、時期に応じて適宜設定されていてもよい。例えば、空調システム２が不要な時期であれば、空調システム２が停止状態となる期間（つまり、対象空間Ａ１の換気が行われない期間）が長くなる可能性が高いので、規定期間を比較的短くするのが好ましい。
【００５５】
（４．５）第５変形例
第５変形例の制御システム１０は、空調システム２が対象空間Ａ１の温度を外気温度よりも高くする暖房システムである点で、実施形態と異なっている。本変形例では、熱交換器２２は、加熱用のコイルで構成されている。そして、コイルの主管は、熱源機（ここでは、ボイラー）から配管２４を通して供給される熱媒体（ここでは、温水）が通るように構成されている。このため、運転状態において空調システム２から対象空間Ａ１に送られる空気の温度は、外気温度よりも高くなる。
【００５６】
また、本変形例では、制御部１１による空調システム２の制御が実施形態とは異なっている。以下、本変形例における制御部１１による制御の一例について、図８を用いて説明する。以下では、任意の１つの空調システム２に対する制御について説明する。また、以下では、取得部１２が対象空間Ａ１の温度を初めて取得した時点において、空調システム２が運転状態にあると仮定する。なお、制御部１１による比較処理は実施形態と同じであるので、以下では説明を省略する。
【００５７】
比較処理において、取得温度が第１閾値Ｃ１を上回ると、制御部１１は、オフ指令をリレー３に向けて送信する切替処理を実行する。これにより、空調システム２が運転状態から停止状態に切り替わる。そして、空調システム２が停止状態となることで、対象空間Ａ１の温度は徐々に低下する。
【００５８】
比較処理において、取得温度が第１閾値Ｃ１と第２閾値Ｃ２との間に収まっている間は、制御部１１は、特に空調システム２に対する切替処理を実行しない。つまり、この間、空調システム２は現在の状態を維持する。その後、比較処理において、取得温度が第２閾値Ｃ２を下回ると、制御部１１は、オン指令をリレー３に向けて送信する切替処理を実行する。これにより、空調システム２が停止状態から運転状態に切り替わる。そして、空調システム２が運転状態となることで、対象空間Ａ１の温度は徐々に上昇する。以下、比較処理及び切替処理を制御部１１が繰り返すことにより、対象空間Ａ１の温度は、概ね目標温度Ｃ３を中心とした第１閾値Ｃ１と第２閾値Ｃ２との間に収まるように推移する。
【００５９】
上述のように、本変形例では、制御部１１は、取得温度が第１閾値Ｃ１を上回る（「第１閾値Ｃ１以上になる」ことを含む）と、運転状態から停止状態に切り替わるように空調システム２を制御する。また、制御部１１は、取得温度が第１閾値Ｃ１よりも小さい第２閾値Ｃ２を下回る（「第２閾値Ｃ２以下になる」ことを含む）と、停止状態から運転状態に切り替わるように空調システム２を制御する。
【００６０】
（４．６）その他の変形例
以下、実施形態の上記以外の変形例について列挙する。以下に説明する変形例は、適宜組み合わせて適用可能である。
【００６１】
本開示における制御システム１０の実行主体は、コンピュータシステムを含んでいる。コンピュータシステムは、ハードウェアとしてのプロセッサ及びメモリを備えている。コンピュータシステムのメモリに記録されたプログラムをプロセッサが実行することによって、本開示におけるシステム又は方法の実行主体としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ等の記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００６２】
本実施形態では、空調システム２は冷房システムであるが、これに限定する趣旨ではない。例えば、空調システム２は、冷房システム及び暖房システムの両方を兼ねたシステムであってもよい。この場合、空調システム２は、熱源機（ここでは、冷凍機）から熱媒体として冷水を供給されるときに冷房システムとして機能する。また、空調システム２は、熱源機（ここでは、ボイラー）から熱媒体として温水を供給されるときに暖房システムとして機能する。また、この場合、空調システム２の熱交換器２２は、冷房システムに用いる冷却用のコイルと、暖房システムに用いる加熱用のコイルとの両方を備えていてもよい。
【００６３】
ここで、空調システム２が冷房システム及び暖房システムのいずれの運転も可能な場合、制御部１１は、空調システム２が冷房システム及び暖房システムのいずれのシステムとして機能しているかは、例えば空調システム２の設置場所により判断してもよい。具体的には、制御部１１は、空調システム２の設置場所と、設置場所における時期（例えば、日本国のように四季のある国であれば、春期、夏期、秋期、冬期）のスケジュールと、を紐付けて記憶してもよい。この場合、例えば端末５を用いてユーザが空調システム２の設置場所を設定すると、制御部１１は、現在の日付と、空調システム２の設置場所における時期のスケジュールと照らし合わせることで、現在がどの時期に相当するかを判断する。例えば、現在が冬期であれば、制御部１１は、空調システム２が暖房システムとして機能していると判断し、暖房システムに応じた制御を行う。
【００６４】
本実施形態では、制御部１１は、対象空間Ａ１の温度に応じて空調システム２を制御しているが、更に対象空間Ａ１の湿度又は空気質（例えば、ＰＭ２．５など）に応じて空調システム２を制御してもよい。例えば、制御部１１が対象空間Ａ１の温度及び湿度に応じて空調システム２を制御する場合、対象空間Ａ１の温度を目標温度Ｃ３に近づけること、及び対象空間Ａ１の湿度を目標湿度に近づけることのいずれを優先するかは、ユーザが適宜設定してもよい。
【００６５】
本実施形態では、取得部１２は、有線通信によりセンサ４から対象空間Ａ１の温度を取得しているが、この構成に限定する趣旨ではない。例えば、取得部１２は、無線通信によりセンサ４から対象空間Ａ１の温度を取得する構成であってもよい。
【００６６】
本実施形態では、通信部１３は、ネットワークを介して端末５と通信しているが、これに限定する趣旨ではない。例えば、通信部１３は、例えばルータなどの中継器及びネットワークを介して端末５と通信する構成であってもよい。また、通信部１３は、通信事業者が提供する携帯電話網（キャリア網）を介して、ネットワークに接続されていてもよい。携帯電話網には、例えば３Ｇ（第３世代）回線、ＬＴＥ（Long Term Evolution）回線等がある。その他、通信部１３は、公衆無線ＬＡＮ（Local Area Network）を介してネットワークに接続されていてもよい。また、通信部１３は、有線通信により端末５と通信する構成であってもよい。
【００６７】
本実施形態では、空調システム２は機械室に設置されているが、空調システム２の設置場所を限定する趣旨ではない。例えば、空調システム２は、対象空間Ａ１の壁の裏側、対象空間Ａ１の天井の裏側などに設置されていてもよい。
【００６８】
本実施形態では、空調システム２は、吸込口２０，２５、フィルタ２１、熱交換器２２、及び送風機２３を備えているが、この構成に限定する趣旨ではない。例えば、空調システム２は、エリミネータ、加湿器などを更に備えていてもよい。
【００６９】
本実施形態では、給気ダクト７の吹出口７１が対象空間Ａ１の天井に設けられているが、これに限定する趣旨ではない。例えば、吹出口７１は、対象空間Ａ１の壁に設けられていてもよいし、床に設けられていてもよい。また、本実施形態では、対象空間Ａ１の排気口８１が対象空間Ａ１の壁に設けられているが、これに限定する趣旨ではない。例えば、排気口８１は、対象空間Ａ１の天井に設けられていてもよいし、床に設けられていてもよい。
【００７０】
本実施形態では、端末５はタブレット端末であるが、これに限定する趣旨ではない。例えば、端末５は、スマートフォン、パーソナルコンピュータ、又は時計型などの各種のウェアラブル端末等であってもよい。また、端末５が例えばキーボードなどの入力デバイスと、例えばマウスなどのポインティングデバイスと、を有している場合、端末５を用いた設定作業は、これらのデバイスを用いた操作により行われてもよい。
【００７１】
本実施形態では、制御システム１０は、通信部１３を備えているが、通信部１３は制御システム１０に必須の構成ではない。すなわち、制御システム１０は、制御部１１と、取得部１２と、を備えていればよく、通信部１３については、制御システム１０の構成要素に含まれていなくてもよい。制御システム１０が通信部１３を備えない場合、制御システム１０は、例えばユーザによる操作を受け付ける操作部を備えているのが好ましい。この場合、ユーザは、端末５を操作する代わりに操作部を操作することで、端末５を用いた設定作業と同様の設定作業を行うことが可能である。
【００７２】
本実施形態では、制御システム１０は、１つのシステムで実現されているが、２以上のシステムで実現されていてもよい。例えば、制御部１１、取得部１２、及び通信部１３の機能が、２以上のシステムに分散して設けられていてもよい。また、例えば制御部１１、取得部１２、及び通信部１３の機能が、１つの筐体に収まる１つの装置に設けられていてもよいし、複数の装置に分散して設けられていてもよい。その他、制御システム１０の少なくとも一部の機能は、例えばクラウド（クラウドコンピューティング）によって実現されていてもよい。
【００７３】
ところで、例えば対象空間Ａ１がオフィスなどの職場である場合、制御システム１０は、対象空間Ａ１を利用する複数のユーザ（例えば、従業員など）からの要求指令を受けて、空調システム２を制御してもよい。具体的には、ユーザは、所有する携帯端末（例えば、スマートフォンなど）にインストールされている専用のアプリケーションソフトを用いて、対象空間Ａ１の温度の調整を要求する指令を制御システム１０に向けて送信する。例えば、ユーザは、暑いと感じた場合、携帯端末を用いて、対象空間Ａ１の温度を下げるように要求する要求指令（以下、「第１指令」という）を制御システム１０に向けて送信する。また、例えば、ユーザは、寒いと感じた場合、携帯端末を用いて、対象空間Ａ１の温度を上げるように要求する要求指令（以下、「第２指令」という）を制御システム１０に向けて送信する。
【００７４】
制御システム１０は、複数のユーザからの要求指令をリアルタイムで集計する。そして、制御システム１０は、所定の集計期間において特定の条件を満たした場合、空調システム２を制御することで対象空間Ａ１の温度を調整する。具体的には、例えば所定の集計期間において、第１指令及び第２指令の総計に対して、第１指令が過半数に達すると、制御システム１０は、目標温度Ｃ３を下げる。また、例えば所定の集計期間において、第１指令及び第２指令の総計に対して、第２指令が過半数に達すると、制御システム１０は、目標温度Ｃ３を上げる。
【００７５】
（まとめ）
以上述べたように、第１の態様に係る制御システム（１０）は、制御部（１１）と、取得部（１２）と、を備える。制御部（１１）は、施設に設けられる空調システム（２）を制御する。取得部（１２）は、空調システム（２）が対象とする対象空間（Ａ１）の温度を取得する。制御部（１１）は、取得部（１２）が取得した温度に応じて、空調システム（２）が動作する運転状態と、空調システム（２）が停止する停止状態と、を切り替えるように空調システム（２）を制御する。
【００７６】
この態様によれば、空調システム（２）の運転状態と停止状態とを切り替えるという単純な制御により、対象空間（Ａ１）の温度を調整することが可能である。つまり、この態様によれば、空調システム（２）が対象空間（Ａ１）へ送る空気に関するパラメータの調整といった複雑な制御は不要であり、空調システム（２）が対象とする対象空間（Ａ１）の温度を簡易な制御で調整し易い、という利点がある。
【００７７】
第２の態様に係る制御システム（１０）では、第１の態様において、空調システム（２）は、熱交換器（２２）を備える。熱交換器（２２）は、外部から流れる熱媒体と、対象空間（Ａ１）へと送られる空気との間で熱エネルギーの交換を行う。
【００７８】
この態様によれば、熱交換器（２２）を備えた空調システム（２）が対象とする対象空間（Ａ１）の温度を簡易な制御で調整し易い、という利点がある。
【００７９】
第３の態様に係る制御システム（１０）では、第１の態様において、制御部（１１）の制御対象は、空調システム（２）が備える送風機（２３）である。送風機（２３）は、熱交換器（２２）を通った空気を対象空間（Ａ１）へ送る。
【００８０】
この態様によれば、送風機（２３）が動作している状態と、送風機（２３）が停止している状態とを切り替えるという簡易な制御により、対象空間（Ａ１）の温度を調整し易い、という利点がある。
【００８１】
第４の態様に係る制御システム（１０）では、第１〜第３のいずれかの態様において、空調システム（２）は、制御部（１１）とは異なるメインシステム（６）により制御される１以上の空調システム（２）の一つである。空調システム（２）は、制御部（１１）からの指令と、メインシステム（６）からの指令との各々に基づいて制御される。
【００８２】
この態様によれば、メインシステム（６）による空調システム（２）の制御に依らず、対象空間（Ａ１）の温度を調整し易い、という利点がある。例えば、特定の権限を有するユーザのみが、メインシステム（６）による空調システム（２）の制御パラメータの変更を許容されていると仮定する。この場合でも、特定の権限を有していないユーザは、制御部（１１）による空調システム（２）の制御パラメータを変更することで、対象空間（Ａ１）の温度を調整することが可能である、という利点がある。
【００８３】
第５の態様に係る制御システム（１０）では、第１〜第４のいずれかの態様において、制御部（１１）は、リレー（３）をオン／オフすることで、運転状態と停止状態とを切り替えるように空調システム（２）を制御する。リレー（３）は、外部の電源（Ｂ１）から空調システム（２）への給電路に設けられている。
【００８４】
この態様によれば、電源（Ｂ１）から空調システム（２）への給電路を開閉するという簡易な制御により、対象空間（Ａ１）への温度を調整し易い、という利点がある。
【００８５】
第６の態様に係る制御システム（１０）では、第１〜第５のいずれかの態様において、空調システム（２）は冷房システムである。制御部（１１）は、取得部（１２）で取得した温度が第１閾値（Ｃ１）を上回ると、運転状態に切り替え、取得部（１２）で取得した温度が第１閾値（Ｃ１）よりも小さい第２閾値（Ｃ２）を下回ると、停止状態に切り替える。
【００８６】
この態様によれば、取得温度と目標温度（Ｃ３）との比較のみで運転状態と停止状態とを切り替える場合と比較して、運転状態と停止状態とを切り替える頻度を低減することができる、という利点がある。したがって、この態様によれば、省エネルギーの効果が期待できる、という利点がある。
【００８７】
第７の態様に係る制御システム（１０）では、第１〜第５のいずれかの態様において、空調システム（２）は暖房システムである。制御部（１１）は、取得部（１２）で取得した温度が第１閾値（Ｃ１）を上回ると、停止状態に切り替え、取得部（１２）で取得した温度が第１閾値（Ｃ１）よりも小さい第２閾値（Ｃ２）を下回ると、運転状態に切り替える。
【００８８】
この態様によれば、取得温度と目標温度（Ｃ３）との比較のみで運転状態と停止状態とを切り替える場合と比較して、運転状態と停止状態とを切り替える頻度を低減することができる、という利点がある。したがって、この態様によれば、省エネルギーの効果が期待できる、という利点がある。
【００８９】
第８の態様に係る制御システム（１０）では、第６又は第７の態様において、制御部（１１）は、取得部（１２）で取得した温度が第１閾値（Ｃ１）と第２閾値（Ｃ２）との間にあるときは、空調システム（２）を間欠的に運転させる制御を行う。
【００９０】
この態様によれば、取得温度が第１閾値（Ｃ１）と第２閾値（Ｃ２）との間にあるときに、対象空間（Ａ１）の温度の変化を抑えつつ対象空間（Ａ１）の換気を行うことが可能である、という利点がある。
【００９１】
第９の態様に係る制御システム（１０）では、第６〜第８のいずれかの態様において、第１閾値（Ｃ１）及び第２閾値（Ｃ２）は、それぞれ時間帯ごとに設定されている。
【００９２】
この態様によれば、対象空間（Ａ１）におけるユーザの利用態様に応じて、対象空間（Ａ１）の温度を適切に調整し易い、という利点がある。
【００９３】
第１０の態様に係る制御システム（１０）では、第１〜第９のいずれかの態様において、制御部（１１）は、以下のような制御を行う。すなわち、制御部（１１）は、取得部（１２）が取得した温度について、空調システム（２）の所定の運転期間（Ｅ１）中に生じた変動幅が所定の範囲（Ｆ１）内に収まっているとき、停止状態に切り替える。
【００９４】
この態様によれば、空調システム（２）が不要な時期において、空調システム（２）が運転状態を維持することで無駄に電力が消費されるのを防ぎ易い、という利点がある。つまり、この態様によれば、空調システム（２）が不要な時期において省エネルギーの効果を期待できる、という利点がある。
【００９５】
第１１の態様に係る制御システム（１０）では、第１０の態様において、所定の範囲（Ｆ１）は、第１閾値（Ｃ１）と第２閾値（Ｃ２）との差よりも小さい。
【００９６】
この態様によれば、空調システム（２）が必要な時期において、空調システム（２）が意図せずに停止状態に切り替わるのを防ぎ易い、という利点がある。
【００９７】
第１２の態様に係る制御システム（１０）では、第１〜第１１のいずれかの態様において、制御部（１１）は、空調システム（２）が停止状態にある期間が規定期間よりも長くなると、空調システム（２）を運転状態に切り替える。
【００９８】
この態様によれば、空調システム（２）により対象空間（Ａ１）の換気が行われない期間が長くなるのを防ぎ易く、対象空間（Ａ１）の快適性が損なわれ難い、という利点がある。
【００９９】
第１３の態様に係る制御方法は、取得ステップと、切替ステップと、を有する。取得ステップは、施設に設けられる空調システム（２）が対象とする対象空間（Ａ１）の温度を取得するステップである。切替ステップは、取得ステップで取得した温度に応じて、空調システム（２）が動作する運転状態と、空調システム（２）が停止する停止状態と、を切り替えるように空調システム（２）を制御するステップである。
【０１００】
この態様によれば、空調システム（２）の運転状態と停止状態とを切り替えるという単純な制御により、対象空間（Ａ１）の温度を調整することが可能である。つまり、この態様によれば、空調システム（２）が対象空間（Ａ１）へ送る空気に関するパラメータの調整といった複雑な制御は不要であり、空調システム（２）が対象とする対象空間（Ａ１）の温度を簡易な制御で調整し易い、という利点がある。
【０１０１】
第２〜第１２の態様に係る構成については、制御システム（１０）に必須の構成ではなく、適宜省略可能である。
【０１０２】
上記態様に限らず、実施形態に係る制御システム（１０）の種々の構成（変形例を含む）は、制御方法で適宜、具現化可能である。
【符号の説明】
【０１０３】
１０  制御システム
１１  制御部
１２  取得部
２  空調システム
２２  熱交換器
２３  送風機
３  リレー
６  メインシステム
Ａ１  対象空間
Ｂ１  電源
Ｃ１  第１閾値
Ｃ２  第２閾値
Ｅ１  所定の運転期間
Ｆ１  所定の範囲
【図１】
2019008723.tif 000003
【図２】
2019008723.tif 000004
【図３】
2019008723.tif 000005
【図４】
2019008723.tif 000006
【図５】
2019008723.tif 000007
【図６】
2019008723.tif 000008
【図７】
2019008723.tif 000009
【図８】
2019008723.tif 000010
【国際調査報告】
2019008723.tif 000011
2019008723.tif 000012
2019008723.tif 000013
2019008723.tif 000014